(57)【要約】【課題】一人の作業者でも安全迅速に取付が可能な上吊り型ひさし、取付角度の調整に工具を必要としない上吊り型ひさしを提供する。【解決手段】建物外壁に固着される先付け金具１と、その下方で建物外壁に固着されるひさし掛け４と、建物側端部がひさし掛けに係止され、中間部上面に金具５が固着されたひさし本体３と、上端部は先付け金具に枢支され、下端部がひさし本体の金具５に枢着された吊り棒２とを有する上吊り型ひさしにおいて、先付け金具１に上向きの切欠孔１１を形成するとともに、吊り棒２の上端部に挿通したボルト２４を切欠孔１１に嵌合した後にその切欠孔を閉鎖するロック片１２を取り付けた。吊り棒２をターンバックルで構成した。【選択図】      図１
2006226072.tif 000002
【特許請求の範囲】
【請求項１】
建物外壁に固着される先付け金具と、その先付け金具の下方において建物外壁に固着されるひさし掛けと、建物側端部が前記ひさし掛けに係止され、中間部上面に金具が固着されたひさし本体と、上端部は前記先付け金具に枢支され、下端部が前記ひさし本体の金具に枢着された吊り棒とを有する上吊り型ひさしにおいて、前記先付け金具に上向きの切欠孔を形成するとともに、前記吊り棒の上端部に設けた支軸を前記切欠孔に嵌合した後にその切欠孔を閉鎖するロック片を取り付けたことを特徴とする上吊り型ひさし。
【請求項２】
吊り棒はターンバックルで構成されていることを特徴とする請求項１に記載の上吊り型ひさし。
【発明の詳細な説明】
【技術分野】
【０００１】
本発明は、玄関や勝手口などに取り付けられる上吊り型ひさしに関する。
【背景技術】
【０００２】
玄関や勝手口には、簡易な上吊り型ひさしが取り付けられることがある。
【０００３】
図８は、従来の上吊り型ひさしの構成と取付順序を示すものである。図８に例示するように、玄関又は勝手口の開口部よりも上方の建物外壁Ｗに取り付けた先付け金具１に吊り棒２の一端を枢着して置き、次に、板状のひさし本体３の建物側端部を先付け金具１の下方において建物外壁Ｗに固着したひさし掛け４に係止し、最後にそのひさし本体３を水平になるように持ち上げて、吊り棒２の他端に設けてある孔とひさし本体３の中間部に取り付けてある金具５に設けてある孔とにボルト６を挿通し、そのボルトの端部に止めナットを螺合することにより、上吊りが実現されていた。
【特許文献１】特になし
【発明の開示】
【発明が解決しようとする課題】
【０００４】
しかしながら、上記従来の上吊り型ひさしは、吊り棒２の上端を先付け金具１に枢着するためには、先付け金具の孔と吊り棒の上端に設けてある孔にボルトを通し、これにナットを螺合し、また、重量体であるひさし本体３の一端をひさし掛け４に係止した状態でそのひさし本体を支えながら、ひさし本体の金具５の孔と吊り棒２の下端の孔にボルトを通し、ナットを螺合する作業が必要であるため、一人での作業は困難であり、危険を伴うので、安全に作業を行うには作業者は少なくとも二人を必要とする。
【０００５】
本発明は、上記課題に鑑みてなされたものであり、その目的は、一人の作業者でも安全迅速に取付が可能な上吊り型ひさしを提供することにある。また、もう一つの目的は、取付角度の調整に工具を必要としない上吊り型ひさしを提供することにある。
【課題を解決するための手段】
【０００６】
本発明は、上記課題を解決するため、建物外壁に固着される先付け金具と、その先付け金具の下方において建物外壁に固着されるひさし掛けと、建物側端部がひさし掛けに係止され、中間部上面に金具が固着されたひさし本体と、上端部は先付け金具に枢支され、下端部がひさし本体の金具に枢着された吊り棒とを有する上吊り型ひさしにおいて、前記先付け金具に上向きの切欠孔を形成するとともに、吊り棒の上端部に挿通したボルトを前記切欠孔に嵌合した後にその切欠孔を閉鎖するロック片を開閉自在に取り付けたことを特徴としている。
【０００７】
上記構成により、この上吊り型ひさしを取り付ける際は、吊り棒の一端部をひさし本体の金具に枢着した状態のひさし本体の建物側端部をひさし掛けに係止し、そのひさし本体の建物と反対側の端部を持ち上げるとともに、吊り棒の他端部の支軸を先付け金具の切欠孔に挿入し、ロック片を閉めることにより、ひさし本体の上吊りが完了する。
【０００８】
上記上吊り型ひさしにおいて、吊り棒は、これをターンバックルで構成することが望ましい。
これにより、ターンバックルを手で所要の方向に回すだけで、ひさし本体の取付角度を任意に調整することができる。
【発明の効果】
【０００９】
請求項１の発明によれば、吊り棒の一端部は予めひさし本体の金具に枢着され、吊り棒の他端部にも予め支軸を取り付けておくことができ、ひさし本体を取り付ける際は、ひさし掛けへの係止と先付け金具の切欠孔への支軸の挿入及びロック片の閉鎖だけで済むので、ひさし本体の重量を例えば脚立などで支持したままで、安全簡単迅速に上吊り作業を行うことができる。
【００１０】
請求項２の発明によれば、吊り棒にターンバックルを用いているので、取付角度の調整は工具を必要とせずに、ターンバックルを手で回すだけで容易に行うことができる。
【発明を実施するための最良の形態】
【００１１】
次に、本発明の実施の形態について説明する。
図１は本発明による上吊り型ひさしの断面図、図２は外壁に取り付けられる先付け金具とひさし掛けを示す斜視図、図３はひさし本体及びこれに一端が枢着された吊り棒を示す斜視図、図４はつり棒の上端部の枢支構造を示す図、図５は吊り棒の下端部のひさし本体に取り付けられる金具に対する枢着構造を示す分解斜視図、図６及び図７は、ひさし本体の取り付け順序を説明する斜視図である。図８の従来技術の構成部材と同一又は相当の部材には同一の符号を用いる。
【００１２】
図１及び図２に示すように、玄関又は勝手口の上方における外壁Ｗに、１本の水平線上の左右に隔てた位置に少なくとも２個の先付け金具１が取り付けられ、その先付け金具１の下方に、もう一つの水平線に沿って延びるひさし掛け４がねじ４１などで固着されている。
ここで、本発明における先付け金具１には、その金具の上辺に開口し、建物側に向かって斜め下方に傾斜する切欠孔１１が形成されている。また、その先付け金具には、切欠孔１１の上部開口を開閉可能にロックするロック片１２が取り付けられている。例えば、ロック片１２を短冊状に形成し、その一端を切欠孔の上端部よりも建物と反対側又は建物側にねじ１３で回転自在に取付け、ロック片の他端と先付け金具の切欠孔の上端部よりも建物側又は建物と反対側とにねじの挿通が可能な孔１４、１５を設けてある。これにより、ロック片１２で切欠孔１１を閉鎖した状態で両孔に他のねじ１６をねじ込むことにより、切欠孔を閉鎖状態にロックすることができるようになっている。
【００１３】
本発明による上吊り型ひさしにおいて用いられる吊り棒２は、一端に孔を有し、他端部に右ねじを有する第１継ぎ手２１と、一端に孔を有し、他端部に左ねじを有する第２継ぎ手２２と、両端にねじ孔を有し、それぞれのねじ孔に第１継ぎ手２１の右ねじ及び第２継ぎ手２２の左ねじがねじ込まれているナット２３とからなるターンバックルで構成されている。
【００１４】
そして、第１継ぎ手２１の一端の孔２１ｈは、図４に示すように、支軸に相当するボルト２４が挿通され、孔の反対側に突出された軸部にワッシャー２５，ナット２６及びゆるみ止めナット２６’が螺合されて、軸部の中間部が露出されている。
【００１５】
また、第２継ぎ手２２の一端は、ひさし本体３の中間部上面にねじ５１により固着された金具５の一対の脚５２の間に挿入されて、第２継ぎ手２２の一端の孔と脚５２に形成されている孔とが合致され、それらの孔に一方側からボルト２７を挿通し、反対側に突出した軸部にナット２８及びゆるみ止めナット２８’を螺合されて、第２継ぎ手２２の一端部が金具５に枢着されている。
【００１６】
ひさし本体３の構造は、任意であるが、図示された一例を説明すると、耐候性に優れたアルミニウム又は合成樹脂材料の形材３１を等しい長さに切断し、幅方向に連続的に連結するとともに、周囲に枠材３２を連結することにより堅固に構成されている。
【００１７】
本発明による上吊り型ひさしは、上述したように、また、図３に示すように、一端にボルト２４が取り付けられた吊り棒２の一端を予めひさし本体の金具５に枢着し、その状態で玄関又は勝手口の上方に持ち上げられ、先付け金具１及びひさし掛け４を用いて、図６及び図７に示す順序で取り付けられる。すなわち、まず、ひさし本体３の建物側端部を外壁に固着されているひさし掛け４に係止し、そのひさし本体３の建物と反対側部分を安定性の高い支持手段、例えば脚立などで水平状態に支持する。次いで、吊り棒２の第１継ぎ手２１の先端のボルト２４の軸を先付け金具１の切欠孔１１に挿入する。この場合、ボルト２４の切欠孔１１への挿入を容易にするために、はじめは吊り棒２のナット２３を所定方向に適量回して、吊り棒２の長さを金具５の孔から切欠孔１１までの直線距離よりも長くしてボルト２４の軸を切欠孔１１の上部開口から挿入し、続いて、ナット２３を反対方向に回してその吊り棒の長さを短くして、ボルト２４を切欠孔１１の下端部に嵌合させて、金具５の孔から切欠孔１１の下端部までの直線距離と、吊り棒２の両端のボルト２４，２７間の距離とを等しくする。そして、先付け金具１のロック片１２を回して切欠孔１１を閉鎖し、ロック片の先端の孔と先付け金具の孔にねじ１６をねじ込んでそのロック片１２を固定する。最後に、必要な場合は、吊り棒２のナット２３を回転することにより、ひさし本体３の取付角度を調整することができる。
【００１８】
上述のように、ひさし本体を係止し、安定した状態に保ったまま吊り棒のボルトを先付け金具の切欠孔に挿入し、ロック片によ切欠孔を閉鎖するのみで上吊り型ひさしの取付が可能であるので、比較的重量体であるひさしの取付作業を最小限の人数で安全迅速に行うことができる。また、ひさしの取付角度の調整もターンバックルの回転だけで容易に行うことができる。
【図面の簡単な説明】
【００１９】
【図１】本発明による上吊り型ひさしの断面図。
【図２】外壁に取り付けられる先付け金具とひさし掛けを示す斜視図。
【図３】ひさし本体及びこれに一端が枢着された吊り棒を示す斜視図。
【図４】つり棒の上端部の枢支構造を示す図。
【図５】吊り棒の下端部のひさし本体に取り付けられる金具に対する枢着構造を示す分解斜視図。
【図６】ひさし本体の取り付けの初期段階を説明する斜視図。
【図７】ひさし本体の取り付けの最終段階を説明する斜視図。
【図８】従来の上吊り型ひさしの構成及び取付順序を示す図。
【符号の説明】
【００２０】
１      先付け金具
１１    切欠孔
１２    ロック片
２      吊り棒
２１    第１継ぎ手
２２    第２継ぎ手
２３    ナット
３       ひさし本体
４        ひさし掛け
５        ひさし本体の金具
【図１】
2006226072.tif 000003
【図２】
2006226072.tif 000004
【図３】
2006226072.tif 000005
【図４】
2006226072.tif 000006
【図５】
2006226072.tif 000007
【図６】
2006226072.tif 000008
【図７】
2006226072.tif 000009
【図８】
2006226072.tif 000010